(57)【要約】【課題】ＥＤＩＤ書換えの間の映像中断時間が無い若しくは短い、データ読出し方法並びにそれを用いた映像送信装置及び映像受信装置を提供する。【解決手段】コンテンツ保護処理されたデジタル映像信号をデジタルインタフェースを介して映像受信装置に伝送する映像送信装置において、前記映像送信装置から前記映像受信装置に電源供給を開始した時に実行される初期設定処理によって、前記映像送信装置は前記映像受信装置の特徴に関する情報を読出し、それに基づいて、映像信号フォーマットを初期設定した後にＣＰ処理を行った後デジタル映像信号を伝送する。映像信号伝送中に、前記映像受信装置が送信する前記映像受信装置の特徴に関する情報の再読込み要求を、双方向通信線経由で受信した場合には、前記双方向通信線若しくは前記と異なる双方向通信線を介して、前記映像受信装置の特徴に関する情報を読出し、前記読出されたデータに基づいて映像信号フォーマットを再設定した映像信号を前記映像受信装置に伝送する。【選択図】図５
2010147883.tif 000002
【特許請求の範囲】
【請求項１】
映像送信装置と映像受信装置がコンテンツ保護処理されたデジタル映像信号を伝送するデジタルインタフェースを介して接続され、前記映像送信装置が、前記映像受信装置の特徴に関するデータを読出す方法であって、
前記映像送信装置から前記映像受信装置に電源供給を開始した時に実行される初期設定処理によって読み出された該映像受信装置の特徴に関するデータに基づいて、前記映像送信装置が出力するデジタル映像信号を生成して前記映像受信装置へ伝送中に、
前記映像受信装置から、前記デジタルインタフェースが備える双方向通信線を介して前記映像送信装置に該映像受信装置の特徴に関するデータの再読出し要求メッセージを送信し、
該読出し要求メッセージを受信した、前記映像送信装置が該映像受信装置の特徴に関するデータを読出して、該読出しデータに基づいたデジタル映像信号を出力することを特徴とした、映像受信装置の特徴に関するデータ読出し方法。
【請求項２】
請求項１記載のデータ読出し方法において、前記電源供給を開始した時に実行される初期設定処理は、供給された電源電圧に応じて、前記映像受信装置のＨＰＤ端子の信号レベルがｌｏｗレベルからＨｉｇｈレベルに変化した状態が検出された時に実行され、前記設定データの書換え時には、前記映像信号の伝送を、書換え前の設定データに基づいて生成された映像信号を伝送することを特徴とするデータ書換え方法。
【請求項３】
請求項１若しくは請求項２に記載のデータ書換え方法において、前記デジタルインタフェースは、ＨＤＭＩ若しくはＤＶＩ、ＤｉｓｐｌａｙＰｏｒｔのいずれかであることを特徴とするデータ読出し方法。
【請求項４】
コンテンツ保護手段、及び映像信号送信手段とを備え、コンテンツ保護処理されたデジタル映像信号をデジタルインタフェースへ出力し、映像受信装置に伝送する映像送信装置において、
前記映像送信装置が該映像受信装置の特徴に関するデータを読出し及び前記映像受信装置と認証を行うための前記デジタルインタフェースの第１の双方向回線と送受信する第１の双方向回線送受信手段と、
前記映像受信装置に電源供給する電源部と、
前記電源部から前記映像受信装置に電源供給を開始した時に実行される初期設定処理によって、前記映像受信装置の特徴に関するデータを前記第１の双方向回線送受信手段を介して読出して、その読出したデータに基づいて決めた映像や音声信号のフォーマット設定情報を記憶する設定記憶部と、
前記映像受信装置から該映像受信装置の特徴に関するデータの読出しの要求メッセージまたは禁止メッセージを受信する前記デジタルインタフェースの第２の双方向回線送受信手段と、
前記データの読出し要求メッセージを受信後に、前記映像受信装置の特徴に関するデータを読出して、その読出しデータに基づいて決めた映像や音声信号のフォーマット設定情報で、前記設定記憶部に記憶された設定データを書換える映像送信制御部とを備え、
前記映像送信制御部は、前記禁止メッセージを受信した場合に、前記映像受信装置から前記映像受信装置の特徴に関するデータを読み出さず、前記要求メッセージを受信した場合に前記映像受信装置の特徴に関するデータを読み出すことを特徴とする映像送信装置。
【請求項５】
請求項４記載の映像送信装置において、前記第２の双方向回線送受信手段が前記コンテンツ保護処理の初期化要求メッセージを受信して、前記コンテンツ保護処理の初期化処理として、前記映像受信装置と認証を開始することを特徴とする映像送信装置。
【請求項６】
コンテンツ保護手段、及び映像受信手段とを備え、映像送信装置からデジタルインタフェースを介して入力される、コンテンツ保護処理されたデジタル映像信号を受信する映像受信装置において、
前記映像送信装置に当該映像受信装置の特徴に関するデータを送信し、及び前記映像送信装置とコンテンツ認証を行うために、前記デジタルインタフェースの第１の双方向回線と送受信する第１の双方向回線送受信手段と、
当該映像受信装置の特徴に関するデータを記憶するデータ記憶部と、
前記映像送信装置からデジタル映像信号を受信中に、前記データの読出しを禁止する禁止メッセージ及び前記データの読出しを要求する要求メッセージを前記デジタルインタフェースの第２の双方向回線に送信するための第２の送受信部と、
前記データ記憶部のデータの書換え前に前記データの読出しを禁止する禁止メッセージを前記第２の双方向回線に送信し、前記書換えが終了後に、前記データの読出しを要求する要求メッセージを前記第２の双方向回線に送信する映像受信制御部とを備えたことを特徴とする映像受信装置。
【請求項７】
請求項６記載の映像受信装置において、前記第２の双方向回線送受信手段から前記コンテンツ保護処理の初期化要求メッセージを送信後、前記映像受信装置と前記第１の双方向回線送受信手段を通じて認証を開始することを特徴とする映像受信装置。
【請求項８】
請求項７若しくは請求項８記載の映像受信装置において。コンテンツ保護処理されたデジタル映像信号に施されている暗号を復号化する暗号復号手段と、暗号復号された映像信号を表示する表示手段を備えたことを特徴とする、映像受信装置。
【発明の詳細な説明】
【技術分野】
【０００１】
本発明は、音声信号を含むデジタル映像信号を伝送するインタフェースに関する。
【背景技術】
【０００２】
従来、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、ＤｉｓｐｌａｙＰｏｒｔなどの、デジタル映像信号を伝送するデジタルインタフェースがある。
これらのデジタルインタフェースは、映像送信装置から映像受信装置にデジタル映像信号を伝送するために用いられる。映像送信装置は、例えば、ＤＶＤ（デジタルバーサタイルディスク）再生機器等のデジタルレコーダ、ＳＴＢ（セットトップボックス）、パーソナルコンピュータ等であり、映像受信装置は、例えば、テレビジョン受像機、若しくはパーソナルコンピュータ用モニタ等の映像表示装置である。
【０００３】
【特許文献１】特開２００６−２４６３００号公報
【特許文献２】特開２００８−２５２８１９号公報
【発明の開示】
【発明が解決しようとする課題】
【０００４】
上述のＨＤＭＩ等のデジタルインタフェースによる接続の場合には、ＨＤＣＰ（Ｈｉｇｈ−ｂａｎｄｗｉｄｔｈ  ｄｉｇｉｔａｌ  Ｃｏｎｔｅｎｔｓ  Ｐｒｏｔｅｃｔｉｏｎ）等のＣＰ（Ｃｏｎｔｅｎｔｓ  Ｐｒｏｔｅｃｔｉｏｎ、著作権保護）技術が採用され、認証に成功した映像送信装置と映像受信装置間でのみ、映像信号の送受信が可能である。
しかし、従来の認証動作は、映像受信装置の電源供給開始時の他、表示の切替え、映像受信装置の特徴に関するデータ書換え等の都度、ＨＰＤ端子がＨｉｇｈ→Ｌｏｗ→Ｈｉｇｈにレベルが変化して実行されるため、データの書換えが終わるまで映像送信装置が映像受信装置の特徴に関するデータを読出せず、映像表示ができない若しくは映像の中断時間が長いという問題があった。
特許文献２には、映像受信装置の特徴に関するデータを、映像受信装置の状態によって書換える例が記載されている。
特許文献１には、認証に失敗した場合の表示について記載されているが、表示の切替えや映像受信装置の特徴に関するデータ書換えによる映像中断時間を無くす若しくは短縮に関しては記載が無い。
本発明の目的は、上記の問題に鑑み、表示の切替えやデータ書換えの間の映像中断時間が無い若しくは短い、データ読出し方法並びにそれを用いた映像送信装置及び映像受信装置を提供することにある。
【課題を解決するための手段】
【０００５】
上記目的を達成するために、本発明は、コンテンツ保護処理されたデジタル映像信号をデジタルインタフェースを介して映像受信装置に伝送する映像送信装置において、前記映像送信装置から前記映像受信装置に電源供給を開始した時に実行される初期設定処理によって、前記映像送信装置が前記映像受信装置の特徴に関するデータを読出し、読出され前記データに基づいて生成されたデジタル映像信号を伝送中に、前記映像受信装置から、前記デジタルインタフェースに組込まれた双方向通信線を介して前記データの再読出し要求メッセージを受信した場合に、前記映像受信装置の特徴に関するデータを読出し、前記読出された設定データに基づいて生成された映像信号を前記映像受信装置に伝送するものである。
【発明の効果】
【０００６】
本発明によれば、映像受信装置の特徴に関するデータの書換えがあっても、ＨＰＤ端子の信号レベル変化が無いので、映像に途切れが無い若しくは映像中断時間が短い、データ読出し方法並びにそれを用いた映像送信装置及び映像受信装置を提供すること可能となる。
【発明を実施するための最良の形態】
【０００７】
以下、添付図面を参照しながら本発明の実施形態を詳細に説明する。なお、各図において、共通な機能を有する構成要素には同一の参照番号を付し、説明の重複を避けるため、説明をできるだけ省略する。
【実施例１】
【０００８】
図１は、本発明の映像送信装置と映像受信装置の構成の一実施例を示すブロック図で、ＨＤＭＩで接続された構成である。１００はデジタル映像信号を生成して伝送する映像送信装置、１５０は映像受信装置である。映像送信装置１００において、１０１は信号源、１０２は暗号化部、１０３は映像・音声信号送信部、１０４はＣＰ処理部、１０５はＣＰＵ（Ｃｅｎｔｒａｌ  Ｐｒｏｃｅｓｓｉｎｇ  Ｕｎｉｔ）、１０６はＥＤＩＤ（Ｅｘｔｅｎｄｅｄ  Ｄｉｓｐｌａｙ  Ｉｄｅｎｔｉｆｉｃａｔｉｏｎ  Ｄａｔａ）読出し部、１０７は検出部、１０８は電源部、１０９はＣＥＣ（Ｃｏｎｓｕｍｅｒ  Ｅｌｅｃｔｒｏｎｉｃｓ  Ｃｏｎｔｒｏｌ）部、１１０は設定記憶部である。また映像受信装置１５０において、１５１は表示パネル、１５２は暗号復号化部、１５３は映像・音声信号受信部、１５４はＣＰ処理部、１５５はＣＰＵ、１５６はＥＤＩＤ記憶部、１５７は制御部、１５９はＣＥＣ部である。
【０００９】
図１において、映像送信装置１００は、ＣＰＵ１０５によって制御され、映像受信装置１５０は、ＣＰＵ１５５によって制御される。さらに、これらのＣＰＵ１０５及び１５５は、それぞれ、当該映像送信装置１００若しくは映像受信装置１５０に付属する図示しない、遠隔操作機器等を含む、ＭＭＩ（Ｍａｎ−Ｍａｃｈｉｎｅ  Ｉｎｔｅｒｆａｃｅ）機器を介してユーザが操作する。
また、映像送信装置１００と映像受信装置１５０とは、ＨＤＭＩケーブルで結合されている。
【００１０】
映像送信装置１００では、信号源１０１は、外部映像入力端子やＤＶＤ，放送受信部などの映像信号ソースであり、映像信号を暗号化部１０２に出力する。暗号化部１０２は、入力された映像信号を、例えば、ＨＤＣＰによって暗号化（コンテンツ保護処理）し、映像・音声信号送信部１０３に出力する。映像・音声信号送信部１０３は、入力された映像信号を、ＴＭＤＳ（Ｔｒａｎｓｍｉｓｓｉｏｎ  Ｍｉｎｉｍｉｚｅｄ  Ｄｉｆｆｅｒｅｎｔｉａｌ  Ｓｉｇｎａｌｉｎｇ）方式のシリアル伝送方式に変換して、ＴＭＤＳ信号線を介して、映像受信装置１５０の映像・音声信号受信部１５３に伝送する。
このとき、ＣＰ処理部１０４は、接続相手の映像受信装置１５０が正規のＨＤＣＰ処理機能を備えるかどうかの認証をＣＰ処理部１５４とＤＤＣ（Ｄｉｓｐｌａｙ  Ｄａｔａ  Ｃｈａｎｎｅｌ）信号線を介して行い、認証がとれた後、暗号化の鍵情報を暗号化部１０２に出力する。即ち、暗号化部１０２は、入力された映像信号を、ＣＰ処理部１０４から入力された鍵情報に基づいてコンテンツ保護処理した映像信号を伝送するため、映像受信装置１５０は、当該コンテンツ保護された映像信号を復号可能な鍵情報が無ければ、復号できない。
なお、ＴＭＤＳ方式としては、例えば、特開２００７−２８６４５号公報等記載の周知の技術を用いる。
【００１１】
電源部１０８は、映像送信装置に供給されるＡＣ電源（図示しない）から、ＤＣ用の電圧＋５Ｖを生成し、＋５Ｖ電源ラインを介して映像受信装置１５０のＥＤＩＤ記憶部１５６と制御部１５７に供給する。
ＥＤＩＤ読出し部１０６は、ＤＤＣ信号線を介して映像信号受信装置１５０のＥＤＩＤ記憶部１５６から読出し、受信したＥＤＩＤをＣＰＵ１０５に出力する。ＣＰＵ１０５は、入力されたＥＤＩＤに基づいて、伝送する映像信号や音声信号のフォーマット等を決めてそのフォーマット設定情報を設定記憶部１１０に記憶させる一方、信号源１０１に映像信号や音声信号の出力フォーマット等を指示する。そして、この初期化と前記したＣＰ処理が終了するまで、映像・音声送信部１０３が映像信号を送信しないように制御する。
検出部１０７は、ＨＰＤ（Ｈｏｔ  Ｐｌｕｇ  Ｄｅｔｃｔ）信号線を介して映像受信装置１５０の制御部１５７から送信されるＨＰＤ信号を検出した場合には、ＨＰＤ信号の検出情報をＣＰＵ１０５に出力する。
ＣＥＣ部１０９は、映像受信装置１５０のＣＥＣ部１５９と、ＣＥＣ信号線を介して、リモコン信号や電源ＯＮ／スタンバイ等のＣＥＣ制御信号を相互に送受信する。
【００１２】
映像受信装置１５０では、映像送信装置１００から伝送される映像や音声信号を、映像・音声受信装置１５３が受信し、シリアル伝送方式から、元の形式の映像信号に戻し、暗号復号部１５２に出力する。また、ＣＰ処理部１５４は、映像送信装置１００のＣＰ処理部１０４との認証を通じて得られた鍵情報を暗号復号部１５２に出力する。
暗号復号部１５２は、ＣＰ処理部１５４から得られた鍵情報を使って、映像・音声受信装置１５３より入力された映像信号を暗号復号化処理して表示パネル１５１に出力し、表示パネル１５１にその映像が表示される。
ＥＤＩＤ記憶部１５６は、映像受信装置１５０の特徴を示すデータを記憶しており、当該ＥＤＩＤはＤＤＣ信号線を介して映像送信装置１００のＥＤＩＤ読出し部１０６の読出し動作に合わせて送信される。
制御部１５７は、システムの起動時に、ＨＰＤ信号をトリガとして映像送信装置１００の検出部１０７に送信する。
ＣＥＣ部１５９は、映像送信装置１００のＣＥＣ部１０９と、ＣＥＣ信号線を介して、ＣＥＣ制御信号を相互に送受信し、送受信のタイミングを制御する。
【００１３】
図９は、本発明の映像送信装置と映像受信装置の構成の一実施例を示すブロック図である。９１１はＤＶＤ（Ｄｉｇｉｔａｌ  Ｖｅｒｓｔａｉｌｅ  Ｄｉｓｃ）、９１２はＤ−ＶＨＳ（Ｄｉｇｉｔａｌ−Ｖｉｄｅｏ  Ｈｏｍｅ  Ｓｙｓｔｅｍ）、９１３はＳＴＢ（Ｓｅｔ  Ｔｏｐ  Ｂｏｘ）、９１４はＡｕｄｉｏ  Ａｍｐ、９１５はＰＶＲ（Ｐｅｒｓｏｎａｌ  Ｖｉｄｅｏ  Ｒｅｃｏｒｄｏｅｒ）、９５１はテレビジョン（以降、ＴＶと称する）、９０１はＨＤＭＩケーブルである。
図９では、ＨＤＭＩケーブル９０１でそれぞれ接続されている左右の機器において、左側が映像送信装置であり、右側が映像受信装置である。また、例えば、ＤＶＤ９１１を映像送信装置として、ＨＤＭＩケーブル９０１、Ａｍｐ９１４、及びＨＤＭＩケーブル９０１を介して、ＴＶ９５１を映像受信装置とする結合も可能である。
【００１４】
次に、図４、図５を用いて、本発明のＥＤＩＤ読出し処理について説明する。図４は、従来のＥＤＩＤ読出し処理及びＣＰ認証処理の動作の一例を示すシーケンス図である。また、図５は、本発明のＥＤＩＤ読出し処理動作の一実施例を示すシーケンス図であり、どちらも図１に示した、ＨＤＭＩで接続されている場合である。
図４〜図５において、映像送信装置はＳＴＢ、映像受信装置はＴＶである。また、ＳＴＢとＴＶの結合には、ＨＤＭＩケーブルを使用し、ＳＴＢとＴＶとのそれぞれのシーケンス動作におけるＨＰＤ信号のレベル変化を右側に示している。また、図４〜図７において、上から下に移行するに伴い時間が経過し、横軸方向の水平線（一点鎖線）上は同一の時刻である。
図４、図７のＨＰＤ信号レベルにおいて、“Ｈ”はＨｉｇｈレベル（例えば、２．７Ｖ〜５．０Ｖ）を示し、“Ｌ”はＬｏｗレベル（例えば、０．０Ｖ〜０．４Ｖ）を示す。
【００１５】
図４において、時刻４０１でＳＴＢからＴＶに＋５Ｖ電源ラインを介して＋５Ｖ電圧の供給が開始され、時刻４０２でＴＶに入力が開始される。その結果、ＴＶでは、時刻４０３〜時刻４０４間で、ＨＰＤ信号レベルが“Ｌ”から“Ｈ”に上昇し、ＳＴＢでは時刻４０４でＨＰＤ信号レベルが“Ｈ”になったことが検出される。
このＨＰＤ信号が“Ｌ”から“Ｈ”に変化することで、ＳＴＢはそのＨＰＤ信号のレベル変化をトリガとしてＥＤＩＤの読出しとＣＰ認証を行う。即ち、“Ｈ”レベルが検出された結果に応答して、ＳＴＢは、時刻４０５でＥＤＩＤの読出しを開始し、ＴＶは、ＳＴＢの読出し動作に合わせて、時刻４０６でＥＤＩＤを送信する。ＳＴＢは、ＥＤＩＤの読出しを終え、次に時刻４０７でＴＶに対しＣＰ認証を開始する。ＴＶは、ＳＴＢに対して、時刻４０８でＣＰ認証処理を開始する。即ち、ＳＴＢは、ＥＤＩＤを読出して、そのＥＤＩＤに基づいて出力する映像フォーマットを決め、かつ、ＣＰ認証処理を実行する。
ＳＴＢは、ＣＰ認証処理が成功した後、ＴＶへ、映像信号の伝送を開始する（時刻４０９）。ＴＶは、時刻４１０で、ＣＰ認証処理動作を終了し、映像信号の受信を始める（映像・音声信号伝送開始）。
【００１６】
このように、映像信号が、ＳＴＢから送信され、ＴＶが受信している状態で、ＴＶが、時刻４１１でＥＤＩＤの書換えを決めた場合、ＨＰＤ信号レベルを“Ｈ”から“Ｌ”に切替える。時刻４１２で、ＨＰＤ信号レベルを“Ｌ”として、ＴＶはＥＤＩＤ記憶部１５６に新しいデータの書込みを開始する。そして、時刻４１３で書込みが終了した場合には、ＨＰＤ信号レベルを“Ｌ”から“Ｈ”に切替える。
ＳＴＢは、時刻４１２で、ＨＰＤ信号レベルが“Ｌ”として検出された場合には、ＥＤＩＤ記憶部１５６からのＥＤＩＤの読出しを禁止し、時刻４１４で、ＨＰＤ信号レベルが“Ｈ”として検出された場合に、そのレベル変化をトリガとして、時刻４１５でＥＤＩＤ記憶部１５６からのＥＤＩＤの読出しを開始する。
以降、時刻４１５〜時刻４１９、４２０までのシーケンス動作は、上述した時刻４０５〜時刻４０９、４１０と同じであるので、説明を省略する。
このように、ＴＶが、時刻４１１でＥＤＩＤの書換えを決めた場合には、例えば、時刻４１２〜時刻４１９までの間、映像の送信が中断され、時刻４１１〜時刻４２０までの間、映像の受信が中断される。
【００１７】
上述の図４のように、従来は、映像信号の送受信中に、ＴＶがＥＤＩＤの書換えを決めた場合には、映像信号の送受信を中断しなければならない。また、ＣＰ認証処理も実行してしまうので、映像中断の時間が長くかかっていた。そこで、以下の図５〜図７に示す実施例のように、本発明は、映像信号の送受信中に、ＴＶがＥＤＩＤの書換えを決めた場合でも、映像が中断又は中断時間を短縮したものである。
【００１８】
図５において、時刻４０１〜時刻４１０までの＋５Ｖの電源投入から、映像信号の送受信動作が開始される（映像・音声信号伝送開始）までの処理動作は、図４の従来例と同様であるので、説明を省略し、時刻４１０の次から説明する。
映像信号の送受信中に、例えば、時刻５０１で、ＴＶがＥＤＩＤの書換えを決めた場合には、ＣＰＵ１５５（図１参照）は、ＣＥＣ部１５９からＣＥＣ信号線を介してＳＴＢのＣＥＣ部１０９に、ＥＤＩＤの読出しを禁止するメッセージ（制御コマンド）を送信する。この時、ＨＰＤ信号レベルは“Ｈ”の状態のままである。
時刻５０２で、ＳＴＢのＣＥＣ部１０９が、このＥＤＩＤの読出しを禁止するメッセージを受信してＣＰＵ１０５に伝えるので、ＣＰＵ１０５はＥＤＩＤの読出し処理動作を禁止する。
【００１９】
時刻５０３で、書換えが終了した場合には、ＴＶは、ＥＤＩＤの読出し要求メッセージ（制御コマンド）をＣＥＣ部１５９からＣＥＣ信号線を介してＳＴＢのＣＥＣ部１０９に送信する。これによって、ＣＰＵ１０５は、ＥＤＩＤの読出しができるようになる。即ち、時刻５０４で、ＥＤＩＤの読出し要求メッセージを受信したＳＴＢは、ＥＤＩＤ読出し部１０６が、時刻５０５から、ＤＤＣ信号線を介して、ＴＶのＥＤＩＤ記憶部１５６のＥＤＩＤの読出しを開始する。この時、ＨＰＤ信号レベルは“Ｈ”の状態のままである。また、時刻５０１〜時刻５０３までは、ＴＶがＥＤＩＤを書込む時間である。
読出したＥＤＩＤに基づいて出力映像信号のフォーマット等を再設定したＳＴＢは、時刻５０７で、映像・音声信号を映像・音声送信部１０３からＴＶに伝送開始する。この時もまた、ＨＰＤ信号レベルは“Ｈ”の状態のままである。
このようにしてＴＶの表示パネル１５１には、時刻５０８以降から、時刻５０１〜時刻５０３までの間に書換えたＥＤＩＤに基づいた形式で映像が表示される。
【００２０】
図１と図５の実施例によれば、映像送信装置と映像受信装置をＨＤＭＩ方式で結合した映像信号送受信システムにおいて、電源投入時にＥＤＩＤに基づいて映像出力フォーマットの初期設定を行い、続いてＣＰ認証処理を行うことによって、映像信号の送受信を開始する。映像信号の送受信を開始した後は、ＥＤＩＤの書換えの必要がある時は、ＨＰＤ信号のレベル変化を用いず、ＣＥＣ信号線を介して通信するＥＤＩＤの読出しを禁止及び読み出し要求するメッセージ（制御コマンド）を用いる。これによって、映像の中断が無く、ＣＰ認証が不要で、ＥＤＩＤの書換えがあっても映像音声信号の切替えが速い映像送信装置及び映像受信装置を実現することができる。
尚、図５の実施例において、ＥＤＩＤ読出し禁止やＥＤＩＤ読出し要求メッセージに対して、ＳＴＢが対応状況を報告するメッセージを追加し、ＳＴＢとＴＶからなる映像信号送受信システム内の状態把握をより確実にし、信頼性を上げることもできる。例えば、ＥＤＩＤ読出し禁止メッセージに対して、禁止設定を行ったというメッセージを受けて、ＴＶ側でＥＤＩＤ書換えを開始することにより、何らかの誤動作でＥＤＩＤ読出し禁止メッセージがＳＴＢに届かなかった場合にＳＴＢがＥＤＩＤ読出しを開始するという異常動作を防止できる。以下で説明する、本発明の他の実施例でも同様である。
以上の実施例では、ＨＰＤ信号は、電源投入直後（又は入力切替え直後）のみＬｏｗからＨｉｇｈになって初期化する場合に用いている。しかし、メッセージによるＥＤＩＤ読出し禁止や要求のメカニズムが誤動作した場合に備え、ＨＰＤ信号がＬｏｗとなった場合はＨＰＤ信号を優先して用い、メッセージによる動作を停止させても良い。
【００２１】
次に、図６を用いて、本発明のＣＰ認証処理について説明する。図６は、本発明のＣＰ処理リセット動作の一実施例を示すシーケンス図であり、図１で示したＨＤＭＩ方式で信号処理を実行する。
図６において、時刻４０１〜時刻４１０までのＤＣ＋５Ｖの電源投入から、映像信号の送受信動作が開始されるまでの処理動作は、図４の従来例と同様であるので、説明を省略し、時刻４１０の次から説明する。
映像信号の送受信中に、例えば、時刻６０１で、ＴＶがＣＰ処理のリセットが必要と判断した場合に、ＴＶのＣＰＵ１５５（図１参照）の制御によって、ＣＥＣ部１５９は、ＣＰリセットと認証開始メッセージをＣＥＣ信号線に出力する。同メッセージをＳＴＢのＣＥＣ部１０９が受信してＣＰＵ１０５に伝える。この時、ＨＰＤ信号レベルは“Ｈ”の状態のままである。
ＳＴＢのＣＰＵ１０５は、時刻６０２でＣＥＣ部１０９がこのＣＰリセットと認証開始メッセージを受信した後、ＳＴＢのＣＰ処理部１０４へ、ＴＶとのＣＰ認証開始を指示する。ＳＴＢのＣＰ処理部１０４は、時刻６０３からＴＶのＣＰＵ処理部１５４とＣＰ認証処理の実行が始まる。ＣＰ処理部１０４は、ＣＰ認証処理の結果として得られた鍵情報を暗号化部１０２に出力する。上記鍵情報に基づいて暗号化部１０２で暗号化された映像信号が、映像・音声信号送信部１０３がＴＭＤＳ信号線を介して、時刻６０５からＴＶに伝送開始される。ＴＶの映像・音声信号受信部１５３が上記暗号化された映像信号を受信し、ＴＶの暗号復号部１５２へ伝えられる。暗号復号部１５２は、ＣＰ処理部１５４から提供される鍵情報に基づいて入力映像信号を時刻６０６より復号して、表示パネル１５１に表示する。この時もまた、ＨＰＤ信号レベルは“Ｈ”の状態のままである。
【００２２】
図６の実施例によれば、映像送信装置と映像受信装置をＨＤＭＩ方式で結合した映像信号送受信システムにおいて、電源投入時にＥＤＩＤに基づいて映像出力フォーマットの初期設定を行い、続いてＣＰ認証処理を行うことによって、映像インタフェースの初期化を実行する。映像信号の送受信を開始した後は、ＣＰ処理のリセット信号として、ＨＰＤ信号のレベル変化を用いず、ＣＥＣ信号線を介して通信するＣＰリセットと認証開始メッセージ（制御コマンド）を用いる。これによって、ＣＰ処理をリセットしても、ＥＤＩＤの読出し動作が不要で、映像の中断が短縮できるので、映像音声信号の切替えが速い映像送信装置及び映像受信装置を実現することができる。
【００２３】
次に、図７を用いて、本発明のＥＤＩＤ読出し処理とＣＰ処理リセットの両方を行う場合について説明する。図７は、本発明のＥＤＩＤ読出し処理とＣＰ処理リセット動作の一実施例を示すシーケンス図であり、図１で示したＨＤＭＩ方式で信号処理を実行する。
図７において、時刻４０１〜時刻４１０までのＤＣ＋５Ｖの電源投入から、映像信号の送受信動作が開始されるまでの処理動作は、図４の従来例の時刻４０１〜時刻４１０と同様であるので、説明を省略し、時刻４１０の次から説明する。
【００２４】
映像信号の送受信中に、例えば、時刻７０１で、ＴＶがＥＤＩＤの書換えとＣＰ処理のリセットを決めた場合には、ＣＰＵ１５５（図１参照）は、ＣＥＣ部１５９から、ＳＴＢのＣＥＣ部１０９にＣＥＣ信号線を介して、ＥＤＩＤの読出し禁止のメッセージを送信する。時刻７０２で、ＥＤＩＤ読出し禁止のメッセージを受信したＳＴＢのＣＰＵ１０５は、ＥＤＩＤ読出し要求のメッセージを受信するまでＥＤＩＤの読出しを実行しないように制御する。
ＴＶは、時刻７０１から、ＥＤＩＤ記憶部１５６のＥＤＩＤの書換えが開始され、時刻７０３で書換えが終了する。書換えが終了すると、ＣＰＵ１５５は、ＣＥＣ部１５９から、ＳＴＢのＣＥＣ部１０９を介してＣＰＵ１０５に、ＥＤＩＤ読出し要求とＣＰ処理リセットのメッセージを送信する。この時、ＨＰＤ信号レベルは“Ｈ”の状態のままである。従って、データ書換えのトリガとして、ＥＤＩＤの読出しを禁止するメッセージが用いられる。
【００２５】
ＥＤＩＤ読出し要求とＣＰ処理リセットのメッセージを、時刻７０４で受信したＳＴＢのＣＰＵ１０５は、まず、時刻７０５でＥＤＩＤの読出しを、ＴＶのＥＤＩＤ記憶部１５６に要求する。時刻７０６でＥＤＩＤ記憶部１５６は、ＥＤＩＤの送信を開始する。次に、ＳＴＢがＥＤＩＤの読出しを終了した時刻７０７で、ＳＴＢのＣＰ処理部１０４は、ＣＰ処理開始のメッセージを送信して、ＴＶのＣＰ処理部１５４と、ＣＰ認証処理を開始する。
ＳＴＢからのＣＰ処理開始のメッセージを受信して、時刻７０８で、ＴＶのＣＰ処理部１５４は、ＳＴＢのＣＰ処理部１０４とＣＰ認証を行い、このＣＰ認証処理の間（時刻７０７〜時刻７０９の間）、映像が中断する。しかし、この時も、ＨＰＤ信号レベルは“Ｈ”の状態のままである。
【００２６】
ＳＴＢのＣＰ処理部がＣＰ認証を終了し、時刻７０９で、ＳＴＢは映像・音声信号送信部１０３から、書換えたＥＤＩＤとＣＰ認証に基づいた映像信号をＴＶの映像・音声信号受信部１０３に伝送を開始する。ＴＶは、ＳＴＢから伝送された新しいＣＰ認証結果とＥＤＩＤに基づいた映像信号を受信することによって時刻７１０で、新しいＣＰ認証に基づいて受信した映像信号を復号し、表示する。この時もまた、ＨＰＤ信号レベルは“Ｈ”の状態のままである。
【００２７】
図７の実施例によれば、映像送信装置と映像受信装置をＨＤＭＩ方式で結合した映像信号送受信システムにおいて、電源投入時にＥＤＩＤに基づいて映像出力フォーマットの初期設定を行った後、とＣＰ認証処理を行うことによって、映像インタフェースの初期化を実行し、映像信号の送受信を開始した後は、ＥＤＩＤの書換えのためのトリガ信号として、ＨＰＤ信号のレベル変化を用いず、ＣＥＣ信号線を介して通信するＥＤＩＤの読出しを禁止するメッセージ（制御コマンド）を用いる。これによって、映像信号の送受信を開始した後は、ＥＤＩＤの書換えとＣＰ処理のリセットしても映像の中断が短い、映像送信装置及び映像受信装置を実現することができる。
【００２８】
なお、上記図５〜図７の実施例は、後述する図２（実施例２）の及び図３（実施例３）において、後述する図８の対照表で示した項目で置き換えれば、ＤＶＩ方式及びＤｉｓｐｌａｙＰｏｅｒｔ方式でも、同様に実施できる。
【００２９】
図１０は、本発明のＥＤＩＤ読出し処理動作の一実施例を示すシーケンス図である。図５の実施例では、ＴＶのＣＥＣ部１５９は、書込み開始時にのみＥＤＩＤの読出しを禁止するメッセージを送信し、書込み終了後にＥＤＩＤの読出し要求メッセージを送信し、ＳＴＢでは、ＥＤＩＤの読出しを禁止するメッセージを１つ受信した時点でＥＤＩＤの読出しを禁止し、ＥＤＩＤの読出し要求メッセージを受信するまでは、ＥＤＩＤの読出しを禁止していた。しかし、図１０の実施例では、ＥＤＩＤ記憶部１５６でのＥＤＩＤ書換え期間中、所定の時間間隔（周期）、例えば４００ｍｓ間隔（時刻１００１、１００３、１００５）で、ＥＤＩＤの読出しを禁止するメッセージをＳＴＢに送信し、ＳＴＢでは受信の都度、上記所定の周期より長い所定の時間、例えば受信後５００ｍｓまではＥＤＩＤの読出しを禁止するようにしても良い。
この場合、ＴＶは、ＥＤＩＤ記憶部１５６でのＥＤＩＤの書換えが、開始されて（時刻１００１）から、所定の間隔でＥＤＩＤの読出しを禁止するメッセージを送信し、終了（時刻１００７）後は、送信しない。従って、最後のＥＤＩＤ読出し禁止メッセージを受けて５００ｍｓ後に読出し要求メッセージが来たものとして動作させると良い。
以上で説明してきた、メッセージの構造例を図１１に示す。各メッセージはＨｅａｄｅｒ８１１とＯｐ  Ｃｏｄｅ８１２、送信先のＰｈｙｓｉｃａｌ  Ａｄｄｒｅｓｓに関連したＯｐ  Ｄａｔａ８１３、読出し禁止を示すＯＰ  Ｄａｔａ８１４（又は８２４、８３４，８４４）から構成される。
（ａ）はＥＤＩＤ読出し禁止、（ｂ）はＥＤＩＤ読出し要求、（ｃ）はＣＰリセットと認証開始、（ｄ）はＥＤＩＤ読出し要求とＣＰ認証初期化を示すメッセージで、各メッセージはＰｈｙｓｉｃａｌ  Ａｄｄｒｅｓｓ以外のＯｐ  Ｄａｔａは各１個を持つ例である。しかしながら、メッセージの頻度を抑えるためには、（ｅ）に示すように、ＥＤＩＤ読出し禁止Ｏｐ  Ｄａｔａと、ＥＤＩＤ読出しかつＣＰ認証初期化を表す２つのＯＰ  Ｄａｔａを１個のメッセージで運ぶ方が、低速通信線の活用効率が高まる利点がある。ＥＤＩＤ読出し禁止Ｏｐ  Ｄａｔａと、ＥＤＩＤ読出しかつＣＰ認証初期化を表す２つのＯＰ  Ｄａｔａをまとめて１つのＯｐ  Ｄａｔａを定義しても良い。
この時、ＥＤＩＤ読出し禁止から、ＥＤＩＤ読出しまでの時間は、従来のＨＤＣＰ付ＨＤＭＩ機器との互換性から、１００ｍｓ以上としたほうが良い。また、長すぎるとレスポンス遅れとなるので、５００ｍｓ程度内が望ましい。
本発明では、ＨＰＤ信号レベルを常に“Ｈ”とすることができるので、電源投入直後以外は、ＨＰＤ端子を常にＨｉｇｈとみなし、ＨＰＤ端子に他の信号を伝送させるなどの応用も考えられる。
【実施例２】
【００３０】
図２は、本発明の映像送信装置と映像受信装置の構成の一実施例を示すブロック図で、ＤＶＩ方式のインタフェースによる構成である。２００はデジタル映像信号を生成して伝送する映像送信装置、２５０は映像受信装置である。映像送信装置２００において、２０１は信号源、２０２は暗号化部、２０３は映像信号送信部、２０４はＣＰ処理部、２０５はＣＰＵ、２０６はＥＤＩＤ読出し部、２０７は検出部、２０８は電源部、２１０は設定記憶部である。また映像受信装置２５０において、２５１は表示パネル、２５２は暗号復号化部、２５３は映像信号受信部、２５４はＣＰ処理部、２５５はＣＰＵ、２５６はＥＤＩＤ記憶部、２５７は制御部である。
【００３１】
図２において、映像送信装置２００は、ＣＰＵ２０５によって制御され、映像受信装置２５０は、ＣＰＵ２５５によって制御される。さらに、これらのＣＰＵ２０５及び２５５は、それぞれ、当該映像送信装置２００若しくは映像受信装置２５０に付属する図示しない、遠隔操作機器等を含む、ＭＭＩ機器を介してユーザが操作する。
また、映像送信装置２００と映像受信装置２５０とは、ＤＶＩケーブルで結合している。
【００３２】
映像送信装置２００では、信号源２０１は、映像信号ソースであり、映像信号を暗号化部２０２に出力する。暗号化部２０２は、入力された映像信号を、例えば、ＨＤＣＰによって暗号化して、映像信号送信部２０３に出力する。映像信号送信部２０３は、入力された映像信号を、ＴＭＤＳ方式のシリアル伝送方式に変換して、ＴＭＤＳ信号線を介して、映像受信装置２５０の映像信号受信部２５３に伝送する。
このとき、ＣＰ処理部２０４は、接続相手の映像受信装置２５０が正規のＨＤＣＰ処理機能を備えるかどうかの認証をＣＰ処理部２５４とＤＤＣ信号線を介して行い、認証がとれた後、暗号化の鍵情報を暗号化部２０２に出力する。即ち、暗号化部２０２は、入力された映像信号を、ＣＰ処理部２０４から入力された鍵情報に基づいてコンテンツ保護処理した映像信号を伝送するため、映像受信装置２５０は、当該コピー防止信号を復号可能な鍵情報が無ければ、復号できない。
【００３３】
電源部２０８は、映像送信装置に供給されるＡＣ電源（図示しない）から、ＤＣ電圧＋５Ｖの電源を生成し、＋５Ｖ電源ラインを介して映像受信装置２５０のＥＤＩＤ記憶部２５６と制御部２５７に供給する。
ＥＤＩＤ読出し部２０６は、ＤＤＣ信号線を介して映像信号受信装置２５０のＥＤＩＤ記憶部２５６から読出し、受信したＥＤＩＤをＣＰＵ２０５に出力する。ＣＰＵ２０５は、入力されたＥＤＩＤに基づいて、伝送する映像信号のフォーマット等を決めてそのフォーマット情報を設定記憶部２１０に記憶させる一方、信号源２０１に映像信号の出力フォーマット等を指示する。そして、この初期化と前記したＣＰ処理が終了するまで、映像送信部２０３が映像信号を送信しないように制御する。
検出部２０７は、ＨＰＤ信号線を介して映像受信装置２５０の制御部から送信されるＨＰＤ信号を検出した場合には、ＨＰＤ信号の検出情報をＣＰＵ２０５に出力する。
【００３４】
映像受信装置２５０では、映像送信装置２００から伝送される映像信号を、映像受信装置２５３が受信し、シリアル伝送方式から、元の形式の映像信号に戻し、暗号復号部２５２に出力する。また、ＣＰ処理部２５４は、接続相手の映像送信装置２００が正規のＨＤＣＰ処理機能を備えるかどうかの認証をＣＰ処理部２５４とＤＤＣ信号線を介して行い、認証が取れた後、暗号化の鍵情報を暗号復号部２５２に出力する。即ち、暗号復号部２５２は、入力された映像信号を、ＣＰ処理部２５４から入力された鍵情報に基づいて暗号復号化処理して表示パネル２５１に出力し、表示パネル２５１にその映像が表示される。
このように、暗号復号部２５２は、コンテンツ保護処理された映像信号を復号可能な情報信号を入力された場合に、入力された映像信号を暗号復号化処理して表示パネル２５１に出力し、表示パネル２５１にその映像が表示される。
ＥＤＩＤ記憶部２５６は、映像受信装置２５０の特徴を示すデータを記憶しており、当該ＥＤＩＤをＤＤＣ信号線経由で、映像送信装置２００のＥＤＩＤ読出し部２０６の読出し動作に合わせて送信する。
制御部２５７は、システムの起動時に、ＨＰＤ信号をトリガとして映像送信装置２００の検出部２０７に送信する。
【実施例３】
【００３５】
図３は、本発明の映像送信装置と映像受信装置の構成の一実施例を示すブロック図で、ＤｉｓｐｌａｙＰｏｒｔ方式のインタフェースによる構成である。３００はデジタル映像信号を生成して伝送する映像送信装置、３５０は映像受信装置である。映像送信装置３００において、３０１は信号源、３０２は暗号化部、３０３は映像・音声信号送信部、３０４はＣＰ処理部、３０５はＣＰＵ、３０９はＡＵＸ−ＣＨ（Ａｕｘｉｌｉａｒｙ−Ｃｈａｎｎｅｌ）部、３０７は検出部、３０８は電源部、３１０は設定記憶部である。映像受信装置３５０において、３５１は表示パネル、３５２は暗号復号化部、３５３は映像・音声信号受信部、３５４はＣＰ処理部、３５５はＣＰＵ、３５９はＡＵＸ−ＣＨ部、３５６はＥＤＩＤ記憶部、３５７は制御部である。
【００３６】
図３において、映像送信装置３００は、ＣＰＵ３０５によって制御され、映像受信装置３５０は、ＣＰＵ３５５によって制御される。さらに、これらのＣＰＵ３０５及び３５５は、それぞれ、当該映像送信装置３００若しくは映像受信装置３５０に付属する図示しない、遠隔操作機器等を含む、ＭＭＩ機器を介してユーザが操作する。
また、映像送信装置３００と映像受信装置３５０とは、ＤｉｓｐｌａｙＰｏｒｔケーブルで結合している。
映像送信装置３００のＣＰ処理部３０４と映像受信装置３５０のＣＰ処理部３５４との通信、及び、映像送信装置３００のＣＰＵ３０５と映像受信装置３５０のＥＤＩＤ記憶部３５６との通信は、ＡＵＸ−ＣＨ信号線で結合された、それぞれの、ＡＵＸ−ＣＨ部３０９とＡＵＸ−ＣＨ部３５９を介して行われる。
【００３７】
映像送信装置３００では、信号源３０１は、映像信号ソースであり、映像信号を暗号化部３０２に出力する。暗号化部３０２は、入力された映像信号を、例えば、ＨＤＣＰ若しくはＤＰＣＰ（ＤｉｓｐｌａｙＰｏｒｔ  Ｃｏｎｔｅｎｔ  Ｐｒｏｔｅｃｔｉｏｎ）によって暗号化して、映像・音声信号送信部３０３に出力する。映像・音声信号送信部３０３は、入力された映像信号を、Ｍａｉｎ  Ｌｉｎｋ方式のシリアル伝送方式に変換して、Ｍａｉｎ  Ｌｉｎｋ信号線を介して、映像受信装置３５０の映像・音声信号受信部３５３に伝送する。
このとき、ＣＰ処理部３０４は、接続相手の映像受信装置３５０が正規のＨＤＣＰ処理機能を備えるかどうかの認証をＣＰ処理部３５４とＡＵＸ−ＣＨ信号線を介して行い、認証がとれた後、暗号化の鍵情報を暗号化部３０２に出力する。即ち、暗号化部３０２は、入力された映像信号を、ＣＰ処理部３０４から入力された鍵情報に基づいてコンテンツ保護処理した映像信号を伝送するため、映像受信装置３５０は、当該コピー防止処理された映像信号を復号可能な鍵情報が無ければ、復号できない。
【００３８】
電源部３０８は、映像送信装置に供給されるＡＣ電源（図示しない）から、ＤＣ電圧＋３．３Ｖの電源を生成し、＋３．３Ｖ電源ラインを介して映像受信装置３５０の制御部３５７に供給する。
ＣＰＵ３０５は、映像信号受信装置３５０のＥＤＩＤ記憶部３５６から送信されたＥＤＩＤに基づいて、信号のフォーマット等を決めてそのフォーマット情報を設定記憶部２１０に記憶させる一方、信号源３０１に映像信号の出力フォーマット等を指示する。そして、この初期化と前記したＣＰ処理が終了するまで、映像・音声送信部３０３が映像信号を送信しないように制御する。
検出部３０７は、ＨＰＤ信号線を介して映像受信装置３５０の制御部から送信されるＨＰＤ信号を検出した場合には、ＨＰＤ信号の検出情報をＣＰＵ３０５に出力する。
【００３９】
映像受信装置３５０では、映像送信装置３００から伝送される映像信号を、映像・音声受信装置３５３が受信し、シリアル伝送方式から、元の形式の映像信号に戻し、暗号復号部３５２に出力する。また、ＣＰ処理部３５４は、接続相手の映像受信装置３５０が正規のＨＤＣＰ処理機能を備えるかどうかの認証をＣＰ処理部１５４とＡＵＸ−ＣＨ信号線を介して行い、認証が取れた後、暗号化の鍵情報を暗号化部３０２に出力する。即ち、暗号化部３０２は、入力された映像信号を、ＣＰ処理部３０４から入力された鍵情報に基づいてコンテンツ保護処理映像信号を伝送出力する。
このように、暗号復号部３５２は、コンテンツ保護処理された映像信号を復号可能な情報信号を入力された場合に、入力された映像信号を暗号復号化処理して表示パネル３５１に出力し、表示パネル３５１にその映像が表示される。
ＥＤＩＤ記憶部３５６は、映像受信装置３５０の特徴を示すデータを記憶しており、当該ＥＤＩＤをＡＵＸ−ＣＨ部３５９、ＡＵＸ−ＣＨ信号線、及びＡＵＸ-ＣＨ部３０９を介して映像送信装置３００のＣＰＵ３０５に送信する。
制御部３５７は、システムの起動時に、ＨＰＤ信号をトリガとして映像送信装置３００の検出部３０７に送信する。
【００４０】
図８によって、実施例１〜実施例３の、それぞれのインタフェース方式での信号の種類をまとめて説明する。図８は、本発明のインタフェース毎の信号の伝送方式の一実施例を比較した図である。
図８においては、３種類の接続インタフェース（ＨＤＭＩ、ＤＶＩ、及びＤｉｓｐｌａｙＰｏｒｔ）について、（１）映像・音声伝送方式、（２）ＥＤＩＤ読出し／ＣＰ認証の通信方式、（３）ＥＤＩＤ読出し／ＣＰ認証のトリガ方式、（４）低速双方向通信方式、（５）ＣＰ方式、（６）映像信号が送受信中での従来のＨＰＤの“Ｈ”／“Ｌ”切替え方式の替わる、本発明に用いるトリガ方式を示す図である。  
【００４１】
図８でも分かるように、上記実施例１〜３によれば、映像送信装置と映像受信装置をＨＤＭＩ方式、ＤＶＩ方式、若しくはＤｉｓｐｌａｙＰｏｒｔ方式のいずれかによって結合した映像信号送受信システムにおいて、電源投入時にＥＤＩＤに基づく映像出力フォーマットの初期設定トそれに続くＣＰ認証処理を行うことによって、映像インタフェースの初期化を実行し、映像信号の送受信を開始した後は、映像の中断が無いか若しくは中断が短い、データ読出し方法並びに映像送信装置及び映像受信装置を実現することができる。
【図面の簡単な説明】
【００４２】
【図１】本発明の映像送信装置と映像受信装置の構成の一実施例を示すブロック図。
【図２】本発明の映像送信装置と映像受信装置の構成の一実施例を示すブロック図。
【図３】本発明の映像送信装置と映像受信装置の構成の一実施例を示すブロック図。
【図４】従来のＥＤＩＤ書換え処理、及びＣＰ認証処理の動作の一例を示すシーケンス図。
【図５】本発明のＥＤＩＤ読出し処理動作の一実施例を示すシーケンス図。
【図６】本発明のＣＰ処理リセット動作の一実施例を示すシーケンス図。
【図７】本発明のＥＤＩＤ読出し処理動作とＣＰ処理リセット動作の一実施例を示すシーケンス図。
【図８】本発明の一実施例のインタフェース毎の信号の伝送方式を比較した図。
【図９】本発明のＨＤＭＩ映像送信装置と映像受信装置の構成の一実施例を示すブロック図。
【図１０】本発明のＥＤＩＤ読出し処理動作の一実施例を示すシーケンス図。
【図１１】本発明のメッセージ構造を示す説明図。
【符号の説明】
【００４３】
１００：映像送信装置、  １０１：信号源、  １０２：暗号化部、  １０３：映像・音声信号送信部、  １０４：ＣＰ処理部、  １０５：ＣＰＵ、  １０６：ＥＤＩＤ読出し部、  １０７：検出部、  １０８：電源部、  １０９：ＣＥＣ部、  １１０：設定記憶部、  １５０：映像受信装置、  １５１：表示パネル、  １５２：暗号復号化部、  １５３：映像・音声信号受信部、  １５４：ＣＰ処理部、  １５５：ＣＰＵ、  １５６：ＥＤＩＤ記憶部、  １５７：制御部、  １５９：ＣＥＣ部、  ２００：映像送信装置、  ２０１：信号源、  ２０２：暗号化部、  ２０３：映像信号送信部、  ２０４：ＣＰ処理部、  ２０５：ＣＰＵ、  ２０６：ＥＤＩＤ読出し部、  ２０７：検出部、  ２０８：電源部、  ２１０：設定記憶部、  ２５０：映像受信装置、  ２５１：表示パネル、  ２５２：暗号復号化部、  ２５３：映像信号受信部、  ２５４：ＣＰ処理部、  ２５５：ＣＰＵ、  ２５６：ＥＤＩＤ記憶部、  ２５７：制御部、  ３００：映像送信装置、  ３０１：信号源、  ３０２：暗号化部、  ３０３：映像・音声信号送信部、  ３０４：ＣＰ処理部、  ３０５：ＣＰＵ、  ３０７：検出部、  ３０８：電源部、  ３１０：設定記憶部、  ３０９：ＡＵＸ−ＣＨ部、  ３５０：映像受信装置、  ３５１：表示パネル、  ３５２：暗号復号化部、  ３５３：映像・音声信号受信部、  ３５４：ＣＰ処理部、  ３５５：ＣＰＵ、  ３５６：ＥＤＩＤ記憶部、  ３５７：制御部、  ３５９：ＡＵＸ−ＣＨ部、  ９０１：ＨＤＭＩケーブル、  ９１１：ＤＶＤ、  ９１２：Ｄ−ＶＨＳ、  ９１３：ＳＴＢ、  ９１４：Ａｍｐ、  ９２１：ＰＶＲ、  ９５１：ＴＶ。
【図１】
2010147883.tif 000003
【図２】
2010147883.tif 000004
【図３】
2010147883.tif 000005
【図４】
2010147883.tif 000006
【図５】
2010147883.tif 000007
【図６】
2010147883.tif 000008
【図７】
2010147883.tif 000009
【図８】
2010147883.tif 000010
【図９】
2010147883.tif 000011
【図１０】
2010147883.tif 000012
【図１１】
2010147883.tif 000013